(57)【特許請求の範囲】
【請求項１】
液透過性の駆動無端ベルト（２）と、該無端ベルト（２）の上走行部の下方に該無端ベルト（２）の搬送方向に移動可能とした、少なくとも１つの吸引トレイ（２０）と、を有する混合物から液体と固体とに分離する、無端ベルト濾過装置において、
上記各吸引トレイ（２０）の下面に、該吸引トレイ（２０）の全長にわたって延びる長尺の摺動部材（２４、９０）を組み合わせるとともに上記各吸引トレイ（２０）の下方で上記無端ベルト（２）の上走行部の実質的に全長にわたって延びる、長尺の真空レール（３８、８２）を設け、
上記真空レール（３８、８２）上に上記各吸引トレイ（２０）の摺動部材（２４、９０）を受け入れて該各吸引トレイ（２０）を座らせ、該真空レール（３８、８２）を介して各吸引トレイ（２０）を無端ベルト（２）の搬送方向に案内し、
上記真空レール（３８、８２）に真空源を接続するとともに上記各吸引トレイ（２０）及びそれら吸引トレイ（２０）と組み合わされた摺動部材（２４、９０）を貫通する、１つ又は複数の貫通穴（２８、９４）を設けて、これら貫通穴（２８、９４）を上記真空レール（３８、８２）と連絡し、
上記各吸引トレイ（２０）に負圧を印加することにより上記各吸引トレイ（２０）から上記真空レール（３８、８２）内に液を抜き取る一方、上記真空レール（３８、８２）の側部に、空気クッションを介して各吸引トレイ（２０）の下面を支持するように構成したことを特徴とする、無端ベルト濾過装置。
【請求項２】
横断面形状を三角形として水平底部を有する、中空状の真空レール（３８）を設ける一方、底面部に逆Ｖ字形の凹部（２６）を形成するとともに該凹部（２６）を上記真空レール（３８）に座らせて該真空レール（３８）と協働する、摺動部材（２４）を各吸引トレイ（２０）に設けた、請求項１に記載の装置。
【請求項３】
各吸引トレイ（２０）に、無端ベルト（２）の搬送方向に間隔をあけて配列されるとともに該各吸引トレイ（２０）の底部（２２）及び摺動部材（２４）を貫通する、複数の貫通穴（２８）を設け、
上記各摺動部材（２４）の凹部（２６）の頂部に、無端ベルト（２）の搬送方向に延びるとともに上記複数の貫通穴（２８）と連絡する、スロット（２９）を設け、
無端ベルト（２）の搬送方向に間隔をあけて複数の貫通穴（４０）を配列するとともに該各貫通穴（４０）を内部と連絡した、真空レール（３８）を設け、
上記各吸引トレイ（２０）の内部に、上記真空レール（３８）の各貫通穴（４０）、上記各摺動部材（２４）のスロット（２９）及び該各吸引トレイ（２０）の貫通穴（２８）を介して負圧を発生させる、真空源を設けて構成した、請求項２に記載の装置。
【請求項４】
各吸引トレイ（２０）に横断面形状をＶ字形とした中空状の摺動部材（９０）を設けるとともに、上表面部に無端ベルト（２）の搬送方向に全長にわたって延びるＶ字形の凹部（８４）を形成するとともに該凹部（８４）内に上記摺動部材（９０）を受容する真空レール（８２）を設けて構成した、請求項１に記載の装置。
【請求項５】
各吸引トレイ（２０）に、底部（２２）を貫通して延びるとともに中空状の摺動部材（９０）と連絡する、無端ベルト（２）の搬送方向に間隔をあけて複数の貫通穴（２８）を設け、
上記摺動部材（９０）の底部に、無端ベルト（２）の搬送方向に間隔をあけて複数の貫通穴（９４）を設け、
真空レール（８２）の凹部（８４）の底部に、無端ベルト（２）の搬送方向に延びるスロット（８６）を設け、
上記真空レール（８２）のスロット（８６）に真空圧を印加する、真空源を設け、
上記真空源により上記真空レール（８２）のスロット（８６）、上記各摺動部材（９０）の各貫通穴（９４）及び上記各吸引トレイ（２０）の各貫通穴（２８）を介して該各吸引トレイ（２０）の内部に負圧を発生するように構成した、請求項４に記載の装置。
【請求項６】
各吸引トレイ（２０）の下方に複数の長尺の真空レール（３８、８２）を設けるとともに該各吸引トレイ（２０）に複数の摺動部材（２４、９０）を設け、これら摺動部材（２４、９０）を、それぞれ、上記真空レール（３８、８２）に座るように構成した、請求項１〜請求項５のいずれかに記載の装置。
【請求項７】
各吸引トレイ（２０）を相互に接続して単一体とし、該単一体の各吸引トレイ（２０）が無端ベルト（２）の上走行部の前端部に到達したとき、上記無端ベルト（２）の上走行部の後端部に隣接したスタート位置に帰還するように構成した、請求項１〜請求項６のいずれかに記載の装置。
【請求項８】
真空源を作動させて各吸引トレイ（２０）に無端ベルト（２）を吸引させることにより該無端ベルト（２）と一緒に上記各吸引トレイ（２０）を、上記無端ベルト（２）の上走行部の前端部に搬送し、上記真空源の作動を停止させて、上記各吸引トレイ（２０）をスタート位置に戻すように構成した、請求項１〜請求項７のいずれかに記載の装置。
【請求項９】
各吸引トレイ（２０）を前進させる、別個の駆動手段（５８）を設けた、請求項１〜請求項７のいずれかに記載の装置。
【請求項１０】
複数の個別の吸引トレイ（２０）を設け、該各吸引トレイ（２０）が無端ベルト（２）の上走行部の前端部に到達する毎に、それぞれ、搬送機構部を介して、上記無端ベルト（２）の上走行部の後端部に隣接したスタート位置に帰還させるように構成した、請求項１〜請求項６のいずれかに記載の装置。
【請求項１１】
各吸引トレイ（２０）が上記無端ベルト（２）の上走行部の前端部に到達した際、該吸引トレイ（２０）が落ち込むようにし、無端ベルト（２）の上走行部の下方で、各吸引トレイ（２０）を、該無端ベルト（２）の上走行部と反対方向に移動する戻し機構部と、上記戻し機構部から上記各吸引トレイ（２０）を持ち上げて上記無端ベルト（２）の上走行部の後端部に隣接した下部のスタート位置に該吸引トレイ（２０）を搬入するリフト機構部（７０）と、により搬送機構部を構成した、請求項１０に記載の装置。
【請求項１２】
戻し機構部が、各吸引トレイ（２０）を重力下で摺動させるピボット運動可能な移送機構部（６２）と、空気スライド（６８）と、を含み、上記各吸引トレイ（２０）が無端ベルト（２）の上走行部の前端部に到達した際、上記移送機構部（６２）から該吸引トレイ（２０）を重力の作用によって戻し空気スライド（６８）へと摺動させるように構成した、請求項１１に記載の装置。
【請求項１３】
空気スライド（６８）が、中空状の長尺のレール形態をしており、該空気スライド（６８）から加圧空気により生成される複数の傾斜ジェットを放出し、該ジェットにより上記移送機構部（６２）からリフト機構部（７０）まで各吸引トレイ（２０）を推進するようにした、請求項１２に記載の装置。
【請求項１４】
各吸引トレイ（２０）を互いに接触させて連結し、真空源を介して上記各吸引トレイ（２０）に負圧を印加することによりこれら吸引トレイ（２０）を無端ベルト（２）に保持させるとともに隣接する吸引トレイ（２０）の接触端部間でガスケット（７８）を作用させて上記各吸引トレイ（２０）を上記無端ベルト（２）と一緒に搬送するように構成した、請求項１０〜請求項１３のいずれかに記載の装置。
【請求項１５】
各吸引トレイ（２０）の一端の壁部（３４）に、少なくとも１つの貫通穴（７６）を設ける一方、該各吸引トレイ（２０）の他端の壁部にガスケット（７８）を取り付け、上記各吸引トレイ（２０）内の負圧により、隣接する一方の吸引トレイ（２０）の他端の壁部に取り付けられたガスケット（７８）を、隣接する他方の吸引トレイ（２０）の一端の壁部（３４）に設けた上記貫通穴（７６）を介して該吸引トレイ（２０）の一端の壁部（３４）に吸い付けるように構成した、請求項１４に記載の装置。
【発明の詳細な説明】
【０００１】
【発明の属する技術分野】
本発明は、無端ベルト濾過装置、特に、混合物から液体と固体とを分離するフィルタ装置に関するものである。
【０００２】
【技術背景】
一般に、無端ベルト濾過装置は透過性材料から成る無端ベルトを用いて構成され、該無端ベルトの上走行路部分に分離しようとする混合物が供給される。上記ベルトの上走行路部の下方に、該ベルトに沿って移動するようにした、少なくとも１つの吸引トレイが設けられるとともに該吸引トレイ内に上記ベルトを通過する混合物からの液体を受け入れるようにされ、次ぎの廃棄工程で上記吸引トレイに真空圧を加えてそこから液体を抜き取るようになっている。
【０００３】
従来、真空源は可撓性ホースを介して吸引トレイと連結して該真空源と吸引トレイ間で相対的運動を行うようにされる。一方、そのような可撓性ホースの使用は、いつも、例えば、産出物の温度とか、産出物の容量とか、当該フィルタ装置により安全に操業し得る産出物の範囲とかの好ましくない制限を課すとか、上記吸引トレイ自体に好ましくない物理的力を課している。
【０００４】
上述した種々の不都合のいくつかを解消するために、例えば、ヨーロッパ特許第ＥＰ−Ａ−０５１１７１０号では、真空源と吸引トレイとを入れ子式で接続したものが利用されている。しかしながら、そのような装置では、真空状態の下で、入れ子式接続部によりそれ自体を閉鎖して吸引トレイに更に実質的に好ましくない横向きの力が加わる傾向があるという、更に別の問題が生じる。
【０００５】
更に、そのような装置は、極めて高度の嵌め合いシールを組み合わせて封止状態を維持しなければならない。操作される混合物の粘着性とともに、当該装置が操作可能な温度が可成り高温であるため、しばしば、結晶化が生じ、封止の劣化を必然的に招来することとなる。
【０００６】
また、ヨーロッパ特許第ＥＰ−Ａ−０６８８５９２号には、無端ベルトの片側又は両側に沿って、各吸引トレイが摺動可能とされたスロットを組み合わせた固定吸引箱が設けられている。そのような構成のものは、また、各固定吸引箱と可動吸引トレイ間の連続封止を確保すべく非常に精密な技術が要求され、特に、固定吸引箱が２０メートル程に長いことに留意する必要がある。
【０００７】
望ましくは、上記型式の無端ベルト濾過装置を提供できるようにすることであり、該装置は、上記した従来型式のものにおける不都合を解消すべく、真空源と吸引トレイ間の接続が可成り簡略化され、あらゆる作動条件下で真空源と吸引トレイ間で有効にかつ連続した封止を確保するようにしたものである。
【０００８】
本発明は、混合物を液体と固体とに分離する無端ベルト濾過装置を提供するものであり、液透過性の駆動無端ベルトと該ベルトの上走行部の下方に該ベルトの長手方向に移動可能とした、少なくとも１つのトレイとを有する、混合物から液体と固体とに分離する、無端ベルト濾過装置において、
上記各トレイの下面に、該トレイの全長にわたって延びる長尺の摺動部材を組み合わせるとともに上記各トレイの下方で上記無端ベルトの上走行部を実質的に全長にわたって延びる、長尺の真空レールを設け、
上記真空レール上に上記各トレイの摺動部材を受け入れて該各トレイを座らせ、該真空レールを介して各トレイをその長手方向に案内し、
上記真空レールに真空源を接続するとともに上記各トレイ及びそれらトレイと組み合わされた摺動部材を貫通する、１つ又は複数の貫通穴を設けてこれら貫通穴を上記真空レールと連絡し、
上記各トレイに負圧を印加することにより上記各トレイから上記真空レール内に液を抜き取る一方、上記真空レールの側面部に、空気クッションを介して各トレイの下面を支持するように構成したものである。
【０００９】
上記構成の装置によれば、真空レールが吸引トレイ間の真空接続素子として作用するとともに各吸引トレイの長手方向の移動案内レールとして作用し、真空源に各吸引トレイを接続する簡単かつ信頼性の高い方法とされる。
【００１０】
真空レールが各吸引トレイに対して対称的に配置され、該レールと各吸引トレイ間の接触部が非常に短いので、該両者間には、各吸引トレイに中心を外れた力が加えられることもなく、そのような摩擦が最小限のものとされる。
【００１１】
各吸引トレイを支持する空気クッションを設けることにより、各吸引トレイが真空レールに沿って有効に浮遊することとなり、これにより、更に摩擦を低減させて各吸引トレイを長手方向に移動させるに必要な力を可成り低減させることができる。
【００１２】
本発明の一実施例において、真空レールは中空状のものとされ、水平底部を有する、横断面形状が三角形とされ、各吸引トレイにおける摺動部材は逆Ｖ字形凹部を有する摺動ブロックにより構成され、該摺動部材の底面に座らせるとともに真空レールと協働するように構成される。
【００１３】
各真空レールは、好ましくは、長手方向に間隔をあけて複数の貫通穴を有し、各貫通穴は吸引トレイの底部を貫通するとともに摺動ブロックを貫通して延び、該各摺動ブロックにおける凹部の頂部に長手方向に延びるスロットが設けられ、該スロットは貫通穴を貫通して接続され、真空レールは長手方向に間隔をあけて該レールの内部と連絡する複数の貫通穴を有し、上記真空源は各吸引トレイ内に上記真空レールの貫通穴、各摺動ブロックのスロット及び各吸引トレイの貫通穴を介して負圧を発生するようにされる。
【００１４】
本発明の他の実施例において、各吸引トレイにおける摺動部材は中空状とされるとともに断面形状がＶ字形とされ、真空レールはその上面に長手方向に延びるＶ字形凹部を有し、該Ｖ字形凹部に各吸引トレイの摺動部材を受容するようにされる。
【００１５】
各吸引トレイは、好ましくは、長手方向に間隔をあけて延びる複数の貫通穴を有し、各貫通穴は吸引トレイの底部を貫通して中空状摺動部材と連絡し、該摺動部材の底部は、更に、長手方向に間隔をあけて延びる複数の貫通穴を有し、真空レールの凹部の底部は長手方向に延びるスロットを有し、該スロットに真空源から真空圧が印加され、この構成により上記真空源は各吸引トレイに該吸引トレイのスロット、各摺動部材の貫通穴及び各吸引トレイの貫通穴を介して負圧を生じさせる。
【００１６】
上記フィルタ装置は、各吸引トレイの下方に長く延びる、複数の真空レールを用いて構成され、各吸引トレイは、各真空レールに着座させるようにした、複数の摺動部材を含む。
【００１７】
各吸引トレイは、例えば、ボルト止め又は溶接により相互に接続されて単一体を構成し、該単一体は上記無端ベルトの上走行部の前端部に到達すると該無端ベルトの上走行部の後端部に隣接したスタート位置に帰還する。
【００１８】
トレイ帰還機構部の変形例として、例えば、空気圧式又は水圧式のものとすることができ、又は、プーリ式のものとすることができる。
【００１９】
真空源は、作動時、無端フィルタベルトが各吸引トレイに吸引され、それにより各吸引トレイが上記フィルタベルトにより該ベルトの上走行部の前端部に搬送され、次いで、上記真空源の作動が停止されて各吸引トレイをスタート位置に帰還するようにされる。
【００２０】
それとも、上記フィルタベルトにより各吸引トレイを前方に移動させるのに個別の駆動手段を設けてもよく、上記駆動手段は、例えば、プーリ装置であってもよい。該プーリ装置は、各吸引トレイをスタート位置に戻すのに使用することができる。
【００２１】
更には、独立した複数の吸引トレイとしてもよく、これら吸引トレイが上記フィルタベルトの上走行部の前端部に到達したとき、搬送装置により上記フィルタベルトの上走行部の後端部に隣接したスタート位置に上記各吸引トレイを戻すようにしてもよい。
【００２２】
上記構成の装置では、可撓性搬送ベルトとかいずれかの種類の支持ベルトを必要とすることなく、無端フィルタベルトを連続的に移動させることができ、各吸引トレイの断続的な運動を無くすことができる。各吸引トレイを連続的に循環させるとともに該フィルタベルトを連続的に循環させれば、従動する各吸引トレイがフィルタベルトにより該フィルタベルトの前端部に向かって移動するにつれて該フィルタベルトの後端部でそれら吸引トレイのスタート位置に戻すことができる。
【００２３】
上記装置の搬送部は、フィルタベルトの上走行部の下方で該ベルトの上走行部と反対方向に移動し、各トレイが上記フィルタベルトの上走行部の前端部に到達した際、該トレイが落ち込むようにした、戻し機構部と、上記戻し機構部から上記各トレイを持ち上げて上記フィルタベルトの上走行部の後端部に隣接した下部のスタート位置に該トレイを搬入する、リフト機構部とにより構成される。
【００２４】
上記搬送部は、好ましくは、各トレイを重力下で摺動させる、ピボット運動可能な移送機構部を含み、上記各トレイがフィルタベルトの上走行部の前端部に到達した際、上記移送機構部から該トレイを重力下で戻し機構部に摺動させるように構成される。
【００２５】
戻し機構部は中空状の長尺のレール形態をした空気スライドにより構成し、該空気スライドから加圧空気により生成される、複数の傾斜ジェットを放出し、該ジェットにより移送機構部からリフト機構部まで各トレイを推進するようにしてもよい。
【００２６】
本発明の好ましい実施例において、各吸引トレイを互いに接触させて連結し、真空源を介して上記各トレイに負圧を印加することによりこれらトレイを無端フィルタベルトに保持させるとともに隣接する吸引トレイの接触端部間でガスケットを作用させて上記各トレイを上記フィルタベルトと一緒に搬送される。
【００２７】
上記各トレイの一端の壁部に、少なくとも１つの貫通穴を設ける一方、該各トレイの他端の壁部にガスケットを取り付け、上記各トレイ内の負圧により、隣接する一方のトレイの他端の壁部に取り付けられたガスケットを、隣接する他方のトレイの一端の壁部に設けた上記貫通穴を介して該トレイの一端の壁部に吸い付けるようにしてもよい。
【００２８】
以下に、本発明を、実施例としてのみ示す添付図面とともに説明する。
【００２９】
【発明の実施の形態】
図１〜図１０において、ベルトフィルタは透過性布材料により製作された無端ベルト２を用いて構成され、該無端ベルト２は、ローラ１６の下を通り、テンションローラ１０、１２上を通過するとともにガイドローラ４上を通過して布洗浄箱８を貫通し、スクレーパ６の下を通過する。濾布２の両側部は当該ベルト機構の両側部に支持箱１８を対向するように横たわっている。
【００３０】
上記ベルト２の上走行部の下には複数の接続された吸引トレイ２０が配置され、各吸引トレイ２０は、薄厚シート材料、代表的に、ポリプロピレンから成る底部２２を有する。
【００３１】
各吸引トレイ２０の底部２２の下面に、該トレイ２０の中心部に配置されるとともにその長手方向に延びるように摺動ブロック２４が溶接される。この摺動ブロック２４は、例えば、ポリプロピレン、高密度ポリプロピレン等から製作される。
【００３２】
各摺動ブロック２４の中心部に、長手方向に延びるように、逆Ｖ字形の溝２６が設けられ、各吸引トレイ２０の底部２２及び摺動ブロック２４を貫通して該溝２６と連絡する、複数の貫通穴２８が明けられる。各貫通穴２８は、代表的に、直径が１０ｍｍ、ピッチが４０ｍｍとされる。断面形状が矩形とされる溝２９が溝２６の頂部に沿って形成され、これも後述する理由により、ブロック２４の全長にわたって延びるとともに各貫通穴２８と接続される。
【００３３】
後述する理由から、吸引トレイ２０の対向両側部に沿って延びる壁部３０が該トレイ２０の上方の詳細に図示しない排液グリッド３２の高さ迄延びるとともに該トレイ２０の下方に約４０ｍｍ延びている。
【００３４】
同様に、吸引トレイ２０の対向両端部に沿って壁部３４が延びている。
【００３５】
各吸引トレイ２０は、現場で互いにボルト止めするか又は溶接により単一体とされ、このようなトレイ機構部を構成することにより比較的軽量なものとし、したがって操作性が容易化される。
【００３６】
上記フィルタ装置の枠体３６に中空状の真空レール３８が装着され、該真空レール３８は当該フィルタ装置の中心部を長さ方向に沿って延びている。真空レール３８の断面形状は三角形とされ、代表的に、底板に鉄アングル材を溶接して構成される。上記レール３８の頂部に複数の穴４７がドリルで明けられ、これらの穴４７は、当該トレイ２０においては、代表的に、直径が１０ｍｍ、ピッチが４０ｍｍとされる。
【００３７】
上記レール３８の両端部は板４２により閉鎖される一方、該レール３８の内部とパイプ４４を介して真空源が接続される。
【００３８】
上記トレイ２０の各摺動ブロック２４が真空レール３８の座に実質的に気密状に固定され、これにより各吸引トレイ２０の中空状の内部とパイプ４４、穴４０、溝２９及び貫通穴２８を介して連絡される。上記トレイ機構部の前端部及び後端部で真空損を防止するために、前及び後摺動ブロック２４における矩形断面の溝２９の解放端部がそれぞれに図６〜図８に示す気密嵌め合わせＶ字形溝付きプラグ４により閉鎖される。図８に示すように、真空レール３８の後端部には穴は設けられず、単に、各吸引トレイ２０の末端の５００ｍｍ程の走行部を支持するだけで、穴は設けられていない。真空レール３８の両側部に対する各吸引トレイ２０の横の広がり部は、調節ねじ４８により枠体３６に装着された空気クッション箱４６から放出される空気クッションにより支持される。空気クッション箱４６は穿孔表面５０を有し、代表的に、０．０２バール（Ｂａｒ）以下の低圧のため、種々の材料により製作することができる。そのような気圧で各吸引トレイ２０を排液グリッド３２及びフィルタケーキと一緒に適当に支持することができ、よって各吸引トレイ２０を実質的に摩擦無しに移動させることとなる。
【００３９】
各吸引トレイ２０が確実に当該装置の両側部に接触しないようにするために、濾布支持箱１８の両側壁部が穿孔されるとともに各吸引トレイ２０に対し空気クッションとして作用するように該各トレイ２０と中心が合わされる。濾布、すなわち、フィルタベルト２は各吸引トレイ２０よりも幅広とされ、上述したように、支持箱１８の座に取り付けられる。
【００４０】
図２及び図３に示すように、上記ベルト濾過装置は以下のように動作する。
フィルタベルト、即ち、濾布２は連続的に移動し、分離しようとする混合物がＭ点位置で上記濾布２上に供給される。真空源を作動して各吸引トレイ２０の内部が負圧とされ、上記ベルト２が各トレイ２０に引き付けられる。このようにして、上記各トレイ２０はベルト２に沿って引き付けられる。
【００４１】
各トレイ２０の前端部が駆動ローラ４に到達すると、真空が３方向バルブ５２により遮断され、各トレイ２０は、それぞれ、上記無端ベルト２の上走行部の後端部の下方のスタート位置に戻される。
【００４２】
上記トレイ２０の戻しは、種々の方法、例えば、直結した空気圧シリンダもしくは水圧シリンダとか、ラチェット機構とか、カム機構とか、又は、図１に示すプーリ機構を介して行うことができる。
【００４３】
上記プーリ機構は数字符号５４、５６を付して示され、上記トレイの動きを簡単に調整可能とされ、１つ又は複数の歯車機構を噛み合わせてから、点５６で僅かな角度を回転させることに行うことができる。図示のものは、噛み合わせ率が５０％とされる。フィルタ全体を密閉する場合、シャフト５６の出力部は単純シールを通して当該ハウジングの外部に延ばすことができる。
【００４４】
上記の非常に軽量の濾布、すなわち、無端フィルタベルト２を組み込んだベルト濾過装置において、上記トレイは、詳細に上述した真空／濾布機構によるよりも機械的に前方に引っ張ることが有利であり及び／又は必要である。
【００４５】
図１０に好適な装置が示されるように、該装置において、プーリＦ３及びＦ４は固定され、プーリＦ１はＦ２を中心とした円弧上を通過するか又は図中破線で示される近くの位置を直線的に通過するように移動される。
【００４６】
駆動ベルト５８はＸ点及びＹ点に固定された２つの端部を有し、図示するように、プーリＦ１、Ｆ２及びＦ３を周回してのびる。
【００４７】
図示するように、プーリＦ１が左手側に移動されると、各トレイ２０は右に前進し、それとは逆にプーリＦ１が右手側に移動されると、各トレイ２０は左に前進する。
【００４８】
上記３つのプーリの三角点位置に応じた軌道長さの差異を補償するために、駆動ベルト５８にばね５９又はそれと同様の緊張具を組み込むことができる。
【００４９】
可動プーリＦ１の代替えとして、例えば、上記各トレイ２０を前方に移動させるように係合した空気圧モータに従動プーリＰ１を取り付け、そのドラムに連結ケーブルを巻回し、各トレイ２０が引き戻されたとき、上記係合が解除されて該ドラムから上記ケーブルを繰り出すようにしてもよい。
【００５０】
明らかなように、他の適当な駆動機構を使用することもできる。
【００５１】
上記装置は従来装置を超えた様々の顕著な利点を有する。
【００５２】
真空レール３８は、各トレイ２０に対する真空結合部及びそれらトレイ２０の移動用案内レールとして作用し、真空源と各トレイ２０との結合部は簡単かつ高信頼性のものとされる。
【００５３】
各トレイ２０の摺動ブロック２４と真空レール３８との接触は非常に僅かなものとされるから、それら両部材間で摩擦は殆ど生ずることがない。そのような摩擦があると、各トレイ２０に偏心力が印加されることがなく、これらトレイ２０は中心を合わせて配列される。幅広なフィルタ装置である場合、等間隔をもって平行状の複数の真空レールが使用される。
【００５４】
摺動ブロック２４に潤滑油溝６０を設けて真空レールを潤滑して作動させることができる。
【００５５】
各トレイ２０は、走行することも車輪を備えることもなく、摺動することもなく、空気クッションを供給して浮遊させるものであるから、移動時に抵抗が殆ど無い。したがって、従来形式のものよりも優れて、低動力をもって各トレイ２０をそれぞれスタート位置に戻させることができるとともに高速作動させることができる。
【００５６】
各トレイ２０が浮遊すると、該トレイ機構体自体は可成り簡単化することができ、当該機構に要求される、特に、熱可塑性材料において重要とされる、所要の形状寸法安定性及び剛性の問題が完全に回避される。
【００５７】
図１１〜図１６に、本発明のもう１つの実施例が示される。この実施例では、実質的に、上述したと同様に動作するものであるが、各トレイ２０は、相対的に独立的に移動するために、互いに分離される。図１〜図１０に示す実施例と等価の構成部分には、同一の数字符号が付される。
【００５８】
各トレイ２０は先頭から後尾まで内部結合することなく配置され、このフィルタ装置の動作は、図１１及び図１２を参照して以下に説明される。
【００５９】
上記ベルト２は、公知の方法でローラ４を介して該ベルト２が連続的に駆動されることにより、一連のローラの周囲を走行する。駆動ローラ４の位置で撓みナイフ又はスクレーパ６によりケーキが放出され、濾布、すなわち、フィルタベルト２が洗浄箱８内で洗浄される。
【００６０】
各トレイ２０は真空レール３８及び空気クッション支持体に載置され、真空吸引力を介して該ベルト２と一緒に運ばれる。
【００６１】
各トレイ２０が真空レール３８の一端部に到達すると、これらトレイ２０は、最早、フィルタベルト２に吸引されず、符号６２をもって概括的に示す、移送機構部に到達し、該移送機構部において重力下で摺動する。
【００６２】
更に詳細に、移送機構部６２は点Ｐの回りにピボット運動する支持部材６４を含むとともにバランスウィト６６が取り付けられ、該移送機構部６２は、図１０に示すように、その場所でトレイ２０を受け取り易い静止姿勢をとる。
【００６３】
上記トレイ２０が、一旦、支持部材６４に受け取られると、該トレイ２０の重量により該支持部材６４は点Ｐの回りに、図１１に示す位置まで、ピボット運動する。次いで、上記トレイ２０は、重力下で支持部材６４から一方向戻し空気スライド６８へ摺動する。この空気スライド６８は、公知の形式のものであり、各トレイ２０を支持するのみならず、該スライド６８に沿ってそれらトレイ２０を推進する。
【００６４】
他の移送手段、例えば、コンベヤベルトとか、空気圧ラム等を、移送機構部６２からトレイ２０を移動させるのに使用することができることは明らかなことである。
【００６５】
空気スライド６８上でのトレイ２０の搬送は上記ベルト２の移動速度の数倍速い速度とすることができるので、該戻し空気スライド６８上には、ベルト２の上走行部上の１０個のトレイ当たり単に１個又は２個のトレイがあればよい。
【００６６】
各トレイ２０は、空気スライド６８により概括的に符号７０を付して示すリフト機構部に向けて推進され、該リフト機構部７０はピボット運動可能な支持部材７２を含み、該支持部材７２に空気スライド６８を介してトレイ２０が供給される。
【００６７】
上記トレイ２０が支持部材７２に完全に掛けられると、図示しないセンサが作動し、順次、図示しないロックピンを作動させて該トレイ２０を支持部材７２に固定する。これと同時に、図示しない捩り機構部は、支持部材７２をピボット運動させて、図１１に示す位置から図１２に示す位置まで約６０゜回転させる。次いで、上記ロックピンが解錠され、重力下で上記トレイ２０は一連の従動ローラ７４又はコンベヤベルトに摺動させられて先行するトレイ２０に向けて供給される。
【００６８】
上記ロックピンはばねを介して取り付けられるとともにケーブルによる緊張から解放される機構部とするか、又は、空気圧もしくは電気操作機構部としてもよい。
【００６９】
上記トレイ２０は、一旦、先行のトレイ２０に当って接触するとともに、一旦、真空レール３８上を移動させられ、前述したように、該トレイ２０は真空吸引力により濾布、即ち、フィルタベルト２に吸い寄せられ保持される。
【００７０】
互いに打ち当たったトレイ２０間で過度の漏れを確実に防止するために、各トレイ２０に、従動ローラ７４又はコンベヤベルトの作用下で良好な接続を行う、柔軟な圧縮ガスケットを取り付けるようにしてもよい。
【００７１】
それとも、各トレイ２０の下流端部に壁部３４を設け、該壁部に穴７６を設ける一方、各トレイ２０の上流端部に柔軟な圧縮ガスケット７８を取り付け、該ガスケット７８を先行するトレイ２０の下流端部に上記穴７６を介して吸引させることにより適当なシールを施すようにしてもよい。
【００７２】
更に別の実施例として、可撓性の搬送ベルトとか、支持ベルト類とか、断続的に移動するトレイとかを必要としない、連続ベルト濾過装置とすることにより、従来形式のものよりも簡単かつ安価な構成となる。
【００７３】
極めて軽量な濾布、即ち、フィルタベルトであれば、上記トレイ２０は該濾布により牽引されるのではなく機械的に駆動されるようにすることができる。
【００７４】
上記装置はチェーン駆動機構を介してトレイ２０をスタート位置で積み込み、放出端部で解放するようにするようにしてもよい。
【００７５】
それとも、上記トレイ２０は、図１５及び図１６に示すように、摺動ブロック２４に、対向する２つの摩擦駆動輪８０を係合させて該トレイ２０を搬送するようにした、摩擦駆動機構により駆動するようにしてもよい。
【００７６】
図１７に、本発明の更に他の実施例の一部分が示され、該実施例の操作原理は上述したものと同様であり、摺動ブロック及び真空レールの形態が実質的に反転もしくは逆転されたものである。
【００７７】
更に詳細には、真空レール８２は、当該フィルタ装置の長手方向に沿った中心部に延びる長尺のブロックから構成され、該真空レール８２の上表面にＶ字形溝８４が形成されている。上記溝８４の底部に沿って断面形状が矩形の溝８６が形成され、該溝８６に、数字符号８８を付して図示するように、パイプを介して真空源が接続される。
【００７８】
トレイ２０の底部２２の下面にＶ字形の摺動部材９０が取り付けられ、該摺動部材９０の両端部の横断面が板９２により閉鎖されて該摺動部材９０の内部に空間部を形成している。
【００７９】
上記摺動部材９０の底部に、該部材９０の内部と連絡する、複数の貫通穴９４が設けられる。これら貫通穴９４は、代表的に、直径が１０ｍｍ、トレイ２０の底部２２に、４０ｍｍのピッチをもって配列される。
【００８０】
使用時、摺動部材９０は真空レール８２の溝８４の内部に気密状に取り付けられて真空源と連絡され、該摺動部材９０の内部に、パイプ８８、溝８６及び貫通穴９４を介して負圧を生じさせ、各貫通穴２８を介して吸引力により各トレイ２０をフィルタベルト２に引き付けるようになっている。
【００８１】
真空レール８２における溝８４及び溝８６の両端部を解放し、該溝８６を当該フィルタ装置における滴下され液の排出チャネルとして作用するようにすると好都合である。
【図面の簡単な説明】
【図１】  本発明の無端ベルト濾過装置の一実施例の側面図である。
【図２】  図１の濾過装置の動作を示す概略図である。
【図３】  図１の濾過装置における吸引トレイに対する真空源の動作説明図である。
【図４】  本発明の濾過装置の部分断面図である。
【図５】  図４の濾過装置部分の拡大断面図である。
【図６】  図５のＡ−Ａ線縦断面図である。
【図７】  図６の摺動ブロックのＢ−Ｂ線端面図である。
【図８】  トレイ／真空レールの一部切欠部分断面図である。
【図９】  本発明の濾過装置における吸引トレイの斜視図である。
【図１０】  本発明の濾過装置のトレイ搬送用のプーリ機構部を説明する概略図である。
【図１１】  本発明の濾過装置の変形例のフィルタ動作を説明する概略図である。
【図１２】  図１１と同様の本発明の濾過装置の変形例のフィルタ動作の概略説明図である。
【図１３】  本発明の濾過装置における吸引トレイの更に別の実施例の斜視図である。
【図１４】  図１３の互いに接触する２つのトレイの端部における壁部の部分断面図である。
【図１５】  本発明の濾過装置の部分端面図である。
【図１６】  図１５の濾過装置の部分平面図である。
【図１７】  本発明の濾過装置のもう１つ別の実施例のフィルタトレイ及び真空レールの部分等尺図である。
【符号の説明】
２  無端フィルタベルト又は濾布
４  駆動ローラ
６  スクライパ
１４  案内ローラ
１８  フィルタベルト（濾布）の支持箱
２０  吸引トレイ
２２  吸引トレイの基部
２４  摺動ブロック（摺動部材）
２６  溝
２８  貫通穴
３０  吸引トレイの一端の壁部
３４  吸引トレイの他端の壁部
３６  枠体
３８  真空レール
４６  空気クッション箱
６２  移送機構部
６４  支持部材
６８  一方向戻し空気スライド
７０  リフト機構部
７４  従動ローラ
７８  ガスケット
８２  真空レール
８４  溝
８６  溝
９０  摺動部材
【図１】
0004068212.tif 000002
【図２】
0004068212.tif 000003
【図３】
0004068212.tif 000004
【図４】
0004068212.tif 000005
【図５】
0004068212.tif 000006
【図６】
0004068212.tif 000007
【図７】
0004068212.tif 000008
【図８】
0004068212.tif 000009
【図９】
0004068212.tif 000010
【図１０】
0004068212.tif 000011
【図１１】
0004068212.tif 000012
【図１２】
0004068212.tif 000013
【図１３】
0004068212.tif 000014
【図１４】
0004068212.tif 000015
【図１５】
0004068212.tif 000016
【図１６】
0004068212.tif 000017
【図１７】
0004068212.tif 000018